(57)【要約】【課題】外気温度の低下に伴う玩具銃からの弾丸の発射速度の低下を抑制する。【解決手段】プラスチック製の弾丸が複数配列される弾倉室と、弾丸を飛ばすための圧縮気体が液化された状態で貯蔵される蓄圧室とを有し、玩具銃に対して着脱可能である略長方形型の弾倉を加温する弾倉加温用携帯具であって、弾倉が当該弾倉の長手方向に出し入れされる弾倉収納室と、弾倉収納室の内側に設けられるフィルム状の発熱材と、発熱材を発熱させる電池を収納するケースが出し入れされる電池収納室と、弾倉収納室の出し入れ口と、電池収納室の出し入れ口とを覆う蓋と、を備えてなる。【選択図】図１
0003123134.tif 000002
【実用新案登録請求の範囲】
【請求項１】
プラスチック製の弾丸が複数配列される弾倉室と、前記弾丸を飛ばすための圧縮気体が液化された状態で貯蔵される蓄圧室とを有し、玩具銃に対して着脱可能である略長方形型の弾倉を加温する弾倉加温用携帯具であって、
前記弾倉が当該弾倉の長手方向に出し入れされる弾倉収納室と、
前記弾倉収納室の内側に設けられるフィルム状の発熱材と、
前記発熱材を発熱させる電池を収納するケースが出し入れされる電池収納室と、
前記弾倉収納室の出し入れ口と、前記電池収納室の出し入れ口とを覆う蓋と、
を備えたことを特徴とする弾倉加温用携帯具。
【請求項２】
前記ケースは、前記電池と電気的接続される一方のコネクタを有し、
前記発熱材は、当該発熱材自体と電気的接続される他方のコネクタを有し、
前記一方のコネクタと前記他方のコネクタとは着脱可能である、
ことを特徴とする請求項１に記載の弾倉加温用携帯具。
【請求項３】
前記発熱材は、発熱抵抗体を絶縁材で挟み込んでなるフィルムヒータである、
ことを特徴とする請求項１又は２に記載の弾倉加温用携帯具。
【考案の詳細な説明】
【技術分野】
【０００１】
本考案は、玩具銃に装着される弾倉を加温する弾倉加温用携帯具に関する。
【背景技術】
【０００２】
プラスチック製の弾丸を圧縮気体の噴射圧により飛ばす、いわゆるエアガン（玩具銃）が知られている。エアガンには、その外観構成が火薬式の銃を模擬したものがある。例えば拳銃を模擬したガスハンドガンは、そのグリップ部に着脱可能なマガジン（弾倉）を備えている。ガスハンドガンの使用時には、弾倉に収容されている弾丸がガスハンドガンの銃身に順次装填されて発射されるようになっている。
【０００３】
図１１を参照しつつ、ガスハンドガンの弾倉１００の構成例について説明する。同図は、弾倉１００の構成例を示す断面図である。この弾倉１００は、主として、プラスチック製の弾丸が複数配列される弾倉室１０２と、弾丸を飛ばすための圧縮気体が液化された状態で貯蔵される蓄圧室１０１とを有し、例えばガスハンドガンのグリップ部に対して着脱可能な略長方形をなすとともに、主として金属（例えば鉄）からなるものである。
【０００４】
弾倉室１０２には、挿入された弾丸をこの弾倉室１０２の上端開口部まで押し上げるための押上片１０５が設けられている。この押上片１０５は、弾倉室１０２内で摺動自在に保持され、バネ１０６の弾性力により、弾丸をガスハンドガンの銃身に装填する方向に付勢されるものである。
【０００５】
蓄圧室１０１には、弾倉１００の上端に開口した放出路１０３の開閉を司る放出バルブ１０４が設けられている。この放出バルブ１０４は、内蔵するバネ（不図示）の付勢により常時閉じているが、その突出端にガスハンドガンの撃鉄から打撃を受けると、バネ付勢に抗して開くようになっている。また、この蓄圧室１０１には、外部の高圧ガス容器から蓄圧室１０１にガスを充填するためのガス注入バルブ１０７が設けられている。
【０００６】
ガスハンドガンの使用者が、図１１に例示される弾倉１００をグリップ部に装着し、ガスハンドガンのスライドカバーを後退させると、弾倉室１０２に収容された弾丸が押上片１０５により押し上げられて銃身に送り出される。使用者が引き金を引くと、撃鉄を介して放出バルブ１０４が開いて、蓄圧室１０１の圧縮気体が銃身内に噴射し、銃身に装填されている弾丸をこの噴射圧により発射するようになっている。
【０００７】
尚、玩具銃は、前述したガスハンドガンに限ったものではなく、広く、圧縮気体の供給源が弾倉の蓄圧室にあるようなエアガンを意味するものとする。
【考案の開示】
【考案が解決しようとする課題】
【０００８】
例えば前述したガスハンドガンでは、圧縮気体の供給源が弾倉１００の蓄圧室１０１にあるため、ガスハンドガンの使用環境により、蓄圧室１０１内部の温度が変化する。
【０００９】
ここで、圧縮気体には、フロン、窒素、二酸化炭素、空気等の気体があり、蓄圧室１０１内部では、これらの気体が気液共存状態（圧縮気体が液化された状態）となっている。一般に、このような状態では、蓄圧室１０１内部の温度に対し、液体部分に対する気体部分の相対比（換言すれば、気体部分の圧力）が一義的に対応することが知られている。例えば、蓄圧室１０１内部の温度が低下するほど、気体部分の圧力は低下し、放出バルブ１０４の開放時に放出路１０３を通じて噴射される圧縮気体の噴射圧も低下するとされている。一方、弾倉１００を構成する金属材料の熱伝導性は比較的高いため、前述したように、蓄圧室１０１内部の温度はガスハンドガンの使用環境の影響を受ける。よって、外気の温度が低下すると、これに伴い弾丸の発射速度が低下する虞がある。例えば、寒冷地で冬季に、弾倉１００に収容された弾丸を全て発射しようとしても、弾丸の発射速度が途中で許容水準を下回ってしまい、ガスハンドガンの射撃競技等を実質行えないという問題が起きる可能性がある。
【００１０】
本考案は、かかる課題に鑑みてなされたものであり、その目的とするところは、外気温度の低下に伴う玩具銃からの弾丸の発射速度の低下を抑制することにある。
【課題を解決するための手段】
【００１１】
前記課題を解決するための考案は、プラスチック製の弾丸が複数配列される弾倉室と、前記弾丸を飛ばすための圧縮気体が液化された状態で貯蔵される蓄圧室とを有し、玩具銃に対して着脱可能である略長方形型の弾倉を加温する弾倉加温用携帯具であって、前記弾倉が当該弾倉の長手方向に出し入れされる弾倉収納室と、前記弾倉収納室の内側に設けられるフィルム状の発熱材と、前記発熱材を発熱させる電池を収納するケースが出し入れされる電池収納室と、前記弾倉収納室の出し入れ口と、前記電池収納室の出し入れ口とを覆う蓋と、を備えてなる。
【００１２】
この弾倉加温用携帯具を携帯する玩具銃の使用者は、先ず、蓋を開けて、弾倉（弾丸が収容され且つ圧縮気体が貯蔵されているものとする）を、出し入れ口を通じて弾倉収納室に入れ、蓋を閉めておく。これにより、弾倉収納室において弾倉はフィルム状の発熱材に囲繞された状態となる。ここで、電池収納室に収納されたケースに予め電池が収納されていれば、発熱材はこの電池の電圧を電源として発熱するため、弾倉が加温され、よって蓄圧室内部も加温される。使用者は、次に、蓄圧室内部が例えば所定温度まで加温された頃を見計らって、蓋を開けて、出し入れ口を通じて弾倉収納室から弾倉を取り出し、弾倉を玩具銃に装着する。尚、蓋は、弾倉収納室及び電池収納室からの弾倉及びケースの飛び出しを防止するとともに、弾倉収納室の気密性を高めてその温度を均一に保持する効果を奏する。予め加温された弾倉が装着された玩具銃においては、弾丸を飛ばすための圧縮気体の圧力は、前記の所定温度に基づいて所定の噴射圧を達成し得る圧力となっている。これにより、外気温度の低下に伴う玩具銃からの弾丸の発射速度の低下を抑制できる。
【００１３】
また、かかる弾倉加温用携帯具において、前記ケースは、前記電池と電気的接続される一方のコネクタを有し、前記発熱材は、当該発熱材自体と電気的接続される他方のコネクタを有し、前記一方のコネクタと前記他方のコネクタとは着脱可能である、ことが好ましい。  
この弾倉加温用携帯具によれば、例えば、弾倉収納室に弾倉を入れた後に一方のコネクタと他方のコネクタとを接続して発熱材を発熱させ、加温された弾倉を取り出した後に前記の接続を解除することにすれば、電池を節電しつつ弾倉を効果的に加温することができる。
【００１４】
また、かかる弾倉加温用携帯具において、前記発熱材は、発熱抵抗体を絶縁材で挟み込んでなるフィルムヒータである、ことが好ましい。  
この弾倉加温用携帯具によれば、発熱抵抗体から発生する熱は絶縁材を介して弾倉に伝達される。また、弾倉が主として金属からなる場合、絶縁材により弾倉と発熱抵抗体との電気的な短絡を防止できる。
【考案の効果】
【００１５】
外気温度の低下に伴う玩具銃からの弾丸の発射速度の低下を抑制できる。
【考案を実施するための最良の形態】
【００１６】
＝＝＝弾倉加温用携帯具＝＝＝
以下、図面を参照しつつ、本実施の形態のマガジンウォーマ（弾倉加温用携帯具）１の構成例について説明する。
【００１７】
＜＜＜全体構成例＞＞＞
図１及び図２に例示されるように、本実施の形態のマガジンウォーマ１の外観は、主として、背面部１１と、正面部２０（或いは「第２基材２０」と称する）と、蓋部（蓋）１２とを備えて構成されるポーチ状をなすものである。尚、図１は本実施の形態のマガジンウォーマ１の正面斜視図であり、図２は本実施の形態のマガジンウォーマ１の背面斜視図である。
【００１８】
本実施の形態では、背面部１１及び蓋部１２は一体の第１基材１０からなるものである。つまり、マガジンウォーマ１の外観は、第１基材１０及び第２基材２０を備えて構成されていることになる。第１基材１０における平板状の背面部１１に対し、第２基材２０が加工されて略袋形状をなす正面部２０が接合されて、ポーチ状をなすものである。
【００１９】
また、マガジンウォーマ１の背面上部（＋Ｚ側）には、ループ１３が設けられ、このループ１３にはフック１４が取り付けられている。尚、本実施の形態のフック１４は、いわゆるカラビナフック（carabiner hook）である。
【００２０】
更に、マガジンウォーマ１の背面には、ベルト通し用部材１５が設けられている。長方形状をなすベルト通し用部材１５は、一端が背面部１１に固定される一方、他端は背面部１１と着脱可能となるべく着脱部材１５ａを有している。この着脱部材１５ａは、背面部１１の着脱部材１１ａと対をなし相互に着脱可能となっている。これらの着脱部材１５ａ、１１ａは、例えばマジックテープ（登録商標）である。
【００２１】
図３（ａ）に例示されるように、本実施の形態のマガジンウォーマ１のポーチ状内部では、前述した背面部１１と正面部２０との間に形成される間隙が、Ｚ軸方向に長尺の仕切片２５により、Ｘ軸方向中央の弾倉収納室ＳＡに対し例えば両側に２つの電池収納室ＳＢが隣接するように区画されている。尚、図３（ａ）は、本実施の形態のマガジンウォーマ１の内部構成例を示す正面斜視図であり、図３（ｂ）は、本実施の形態のマガジンウォーマ１の加温機構３０の等価回路を示す回路図である。また、弾倉収納室ＳＡと電池収納室ＳＢとの配置は、ＳＡの両側に２つのＳＢが隣接するような配置に限定されるものではない。要するに、背面部１１と正面部２０との間隙に少なくとも１つずつのＳＡ及びＳＢが配置されていればよい。
【００２２】
前述した蓋部１２はその内側端部に着脱部材１２ａを有するとともに、正面部２０はその外側上部（＋Ｚ側）に着脱部材２０ａを有し、着脱部材１２ａ、２０ａどうしが対をなし相互に着脱可能となっている。これらの着脱部材１２ａ、２０ａは、例えばマジックテープ（登録商標）である。このような構成により、蓋部１２は、弾倉収納室ＳＡ及び２つの電池収納室ＳＢの開口部（出し入れ口）を開閉可能となる。この蓋部１２は、弾倉収納室ＳＡ及び電池収納室ＳＢからの弾倉１００及びケース３２の飛び出しを防止するとともに、弾倉収納室ＳＡの気密性を高めてその温度を均一に保持する効果を奏する。
【００２３】
弾倉収納室ＳＡ及び一方の電池収納室ＳＢには、加温機構３０が収納されている。この加温機構３０は、主として、Ｚ軸方向に長尺の長方形状をなすフィルムヒータ（発熱材）３１と、電池が収納されたケース３２とを備えて構成されるものである。
【００２４】
フィルムヒータ３１は、長方形状の途中で折り返されてＵ字形状をなし、Ｕ字形状の一方側が背面部１１の内側に当接し、Ｕ字形状の他方側が正面部１２の内側に当接するように弾倉収納室ＳＡに設けられている。図３（ｂ）に例示されるように、このフィルムヒータ３１は、電池から供給される直流電流により発熱するものであり、この直流電流を供給するための２本のケーブル３１ａを介してコネクタ３１ｂが電気的に接続されている。尚、本実施の形態では、紙面左側（＋Ｘ側）の仕切片２５の一部にはケーブル３１ａを通す孔が形成されている。また、本実施の形態のフィルムヒータ３１の長尺方向の一端は背面部１１の内側に固定される一方、他端は正面部２０の内側に固定されている。
【００２５】
ケース３２は、例えば１．５Ｖの直流電圧を出力可能な単三乾電池４本を直列接続した状態で保持する周知のものであり、２本のケーブル３２ａを介してコネクタ３２ｂが電気的に接続されている。尚、電池は、これに限定されるものではない。
【００２６】
前述した２つのコネクタ３１ｂ、３２ｂの着脱は、図３（ｂ）の等価回路に示されるスイッチのＯＮ・ＯＦＦに相当するものとなる。本実施の形態では、例えば２つのコネクタ３１ｂ、３２ｂを接続すれば、フィルムヒータ３１に対し６（＝１．５×４）Ｖの直流電圧が印加可能となる。コネクタ３１ｂ、３２ｂは、一方が例えば２端子のオスであれば、他方がこれに対応するメスとなるように構成されている。但し、コネクタ３１ｂ、３２ｂは、これに限定されるものではない。
【００２７】
尚、図３の例示では、２つの電池収納室ＳＢのうちの一方のみを使用するものであるが、これに限定されるものではなく、例えば、他方の電池収納室ＳＢは、予備の電池が収納されたケース３２を収納するために使用されてもよい。この他方の電池収納室ＳＢにおいて、予備の電池がケース３２に収納されていることは必須ではなく、例えば、この電池収納室ＳＢには電池のみが収納されていてもよい。以上は、電池収納室ＳＢが３つ以上の場合も同様である。
【００２８】
＜＜＜素材及び接合例＞＞＞
図４に例示されるように、前述した、第１基材１０、第２基材２０、及び２つの仕切片２５は、糸及び縁部１０ｂ、２０ｂにより接合されてポーチ状をなすものである。尚、同図は、本実施の形態のマガジンウォーマ１の接合例を示す図である。また、第１基材１０、第２基材２０、２つの仕切片２５、糸、縁部１０ｂ、２０ｂ等は、例えばナイロン素材からなるものである。ナイロン素材で構成されることにより、マガジンウォーマ１は、弾倉１００に対する防水性や保温性等を高めるとともに、例えば皮革等を使用する場合に比べて製造コストを抑えることが可能となる。
【００２９】
第１基材１０の背面部１１に対し、第２基材２０たる正面部２０の２つの側辺及び底辺が糸で縫い付けられて接合されている。ここで、マガジンウォーマ１の開口部を形成する第２基材２０の上辺には予め縁部２０ｂが糸で縫い付けられて強化されている。第２基材２０が袋状に縫い付けられた第１基材１０の周囲には更に縁部１０ｂが糸で縫いつけられて全体が強化されている。
【００３０】
仕切片２５の長尺方向に沿った２辺は、折り曲げられて第１基材１０及び第２基材２０にそれぞれ縫い付けられている。
【００３１】
尚、前述した素材はナイロンに限定されるものではなく、例えば、防水加工された布等であってもよいし、或いは、樹脂等からなるハードカバーであってもよい。素材がハードカバーの場合、これを折り曲げ加工して接着することにより、ポーチ状を形成することができる。
【００３２】
＜＜＜フィルムヒータ＞＞＞
図５に例示されるように、本実施の形態のフィルムヒータ３１は、例えば自己温度制御型の面状ヒータ（発熱抵抗体）３１１ｂの両面がポリエステル製の被覆片（絶縁材）３１１ａ、３１１ｃにより被覆された本体３１１と、この本体３１１の両面を更に被覆するナイロン製の被覆片（絶縁材）３１２、３１３とを備えて構成され、その周囲に対し縁部３１ｃがナイロン製の糸で縫い付けられたものである。尚、図５（ａ）は、本実施の形態のフィルムヒータ３１の本体３１１の構成例を示す分解斜視図であり、図５（ｂ）は、本実施の形態のフィルムヒータ３１の構成例を示す斜視図である。また、図５（ｂ）の例示によれば、面状ヒータ３１１ｂに２本のケーブル３１ａが接続されている部分のみ、縁部３１ｃに切り欠きがあるとともに、糸による縫い付けも行われていない。
【００３３】
本実施の形態の面状ヒータ３１１ｂには、例えば特開２００４−４７３９３号公報に開示されている周知の自己温度制御型の面状ヒータを用いればよい。本実施の形態の面状ヒータ３１１ｂは、例えば２５ｍｍ×２１０ｍｍの寸法を有し、例えば適正電圧６Ｖ及び適正電力３．６Ｗの仕様となっている。また、この面状ヒータ３１１ｂは、例えば前述した１．５Ｖを出力可能なアルカリ単三乾電池４本からケーブル３１ａを通じて直流電流が供給されると、所定温度（例えば５０℃）に到達し、その後この温度が略維持される（自己温度制御）ように構成されているものとする。
【００３４】
＜＜＜フック＞＞＞
図６に例示されるように、前述したフック１４には、例えば周知のカラビナフックが用いられている。尚、同図は、本実施の形態のフック１４の機能の一例を示す平面図である。
【００３５】
図６（ａ）に例示されるように、フック１４は、主として、前述したループ１３に取り付け可能なＣリング部１４と、このＣリング部１４の一端の軸部１４ｃに軸支されてＣリング部１４の切欠部分を開閉するべく回動可能な棒状部１４ｂとを備えて構成されている。この棒状部１４ｂは、Ｃリング部１４ａの切欠部分を常時閉じた状態とするように、Ｃリング部１４ａの軸部１４ｃ近傍でバネ付勢されているものとする。
【００３６】
マガジンウォーマ１の使用者は、ループ１３に取り付けられたフック１４の棒状部１４ｂのバネ付勢に抗してＣリング部１４ａの切欠部分を開放することにより（図６（ｂ）参照）、例えば腰のベルト又はそのベルトループに対しフック１４を係止することができる。これにより、マガジンウォーマ１は、その使用者の腰に装着されることになる。
【００３７】
＝＝＝弾倉加温用携帯具の使用例＝＝＝
以下、図面を参照しつつ、前述した構成を備えたマガジンウォーマ１の使用例について説明する。
【００３８】
図７に例示されるように、本実施の形態のマガジンウォーマ１は、例えば前述したガスハンドガン２００の射撃競技等に使用できる。尚、同図は、本実施の形態のマガジンウォーマ１の装着例を示す模式図である。同図の例示によれば、ガスハンドガン２００の使用者は、腰のベルトにマガジンウォーマ１を装着している。マガジンウォーマ１をベルトに装着する場合、前述したフック１４（図６）を使用してもよいし、或いは前述したベルト通し用部材１５（図２）を使用してもよい。但し、マガジンウォーマ１の装着位置は、これに限定されるものではなく、例えば着衣において、フック１４又はベルト通し用部材１５を介して取り付けられる位置であれば如何なる位置であってもよい。或いは、このマガジンウォーマ１を着衣のポケット等に収納して使用するものであってもよい。図７の例示では、射撃競技において、使用者は、ガスハンドガン２００と、Ａ、Ｂの２つの同一の弾倉１００とを携帯している。
【００３９】
図８に例示されるように、射撃競技において、使用者は、Ａの弾倉１００をマガジンウォーマ１の弾倉収納室ＳＡに収納してコネクタ３１ｂ、３２ｂを接続する（Ｓ１００）。尚、同図は、ガスハンドガン２００の射撃競技における本実施の形態のマガジンウォーマ１の使用手順の一例を説明するためのフローチャートである。また、ステップＳ１００に先立って、Ａ、Ｂの２つの弾倉１００とも、弾倉室１０２及び蓄圧室１０１（図１１）に対しプラスチック製の弾丸及び圧縮気体が競技の実施に十分な程度にそれぞれ充填されているものとする。
【００４０】
ステップＳ１００では、使用者は、マガジンウォーマ１の蓋部１２を開けた状態で、Ａの弾倉１００を弾倉収納室ＳＡに収納し（図９（ａ）参照）、コネクタ３１ｂ、３２ｂを接続し（図９（ｂ）参照）、着脱部材１２ａ、２０ａ（図３）を通じて蓋部１２を閉じる（図９（ｃ）参照）。尚、図９は、本実施の形態のマガジンウォーマ１に対する弾倉１００の収容手順を示す正面図である。
【００４１】
ステップＳ１００の操作により、Ａの弾倉１００は、弾倉収納室ＳＡにおいてフィルムヒータ３１により加温され、蓄圧室１０１内部の圧縮気体は所定時間後（例えば１０分後）に所定温度に達し得る。この所定温度（Ｔ）とは、蓄圧室１０１内部で液化している圧縮気体の噴射圧が許容水準以上に保たれるような温度を意味する。そして、このＴに達するための所定時間は、Ｔと外気の温度（Ｔ’）との差、弾倉収納室ＳＡの保温性能、加温機構３０の昇温性能等により決まるものである。
【００４２】
所定時間（例えば１０分）が経過すると（Ｓ１０１：ＹＥＳ）、使用者は、マガジンウォーマ１の弾倉収納室ＳＡからＡの弾倉１００を取り出してガスハンドガン２００に装着するとともに、今度はＢの弾倉１００を弾倉収納室ＳＡに収納する（Ｓ１０２）。  
使用者は、ガスハンドガン２００によりＡの弾倉１００の弾丸を全て発射する（Ｓ１０３）。尚、前述した図７に例示される２つの弾倉１００の状態は、このステップＳ１０３に対応するものである。  
使用者は、ガスハンドガン２００からＡの弾倉１００（空である）を取り外して、代わりに、マガジンウォーマ１から取り出したＢの弾倉１００を装着する（Ｓ１０４）。  
使用者は、ガスハンドガン２００によりＢの弾倉１００の弾丸を全て発射する（Ｓ１０５）。
【００４３】
＝＝＝外気温度の低下に伴う弾丸の発射速度の低下の抑制＝＝＝
本実施の形態のマガジンウォーマ１によれば、前述したステップＳ１００及びＳ１０２において、弾倉収納室ＳＡ内部で弾倉１００は通電中のフィルムヒータ３１に囲繞された状態となっている。これにより、弾倉１００が加温されて、蓄圧室１０１内部も加温される。この状態で所定時間（例えば１０分）が経過して、蓄圧室１０１内部が例えば所定温度まで加温された弾倉１００が、ガスハンドガン２００に装着される。予め加温された弾倉１００が装着されたガスハンドガン２００においては、弾丸を飛ばすための圧縮気体の圧力は、前記の所定温度に基づいて所定の噴射圧を達成し得る圧力となっている。これにより、外気温度の低下に伴うガスハンドガン２００からの弾丸の発射速度の低下を抑制できる。例えば、前述した射撃競技を寒冷地で冬季に行う場合でも、前述したステップＳ１０３及びＳ１０５で弾倉１００の弾丸を全て発射する際に、弾丸の発射速度が途中で許容水準を下回るといったトラブルを回避できる。
【００４４】
また、本実施の形態のマガジンウォーマ１によれば、例えば、弾倉収納室ＳＡに弾倉１００を収納した後にコネクタ３１ｂ、３２ｂどうしを接続してフィルムヒータ３１を発熱させ、加温された弾倉１００を取り出した後に前記の接続を解除することにすれば、電池を節電しつつ弾倉１００を効果的に加温することができる。
【００４５】
但し、本実施の形態のマガジンウォーマ１にとって、コネクタ３１ｂ、３２ｂは必須の構成ではなく、例えば、フィルムヒータ３１と、電池が収納されたケース３２とがケーブル３１ａ、３２ａにより直接接続された状態であってもよい。この場合、ケース３２に電池を収納することにより、フィルムヒータ３１に通電が開始される。このようにすれば、マガジンウォーマ１の製造コストは、コネクタ３１ｂ、３２ｂの分だけ低く抑えることができる。或いは、コネクタ３１ｂ、３２ｂの代わりに、周知のＯＮ・ＯＦＦスイッチを用いてもよい。この場合、使用者は、例えば片手でフィルムヒータ３１への通電をＯＮ又はＯＦＦとすることができるため、操作が容易になる。
【００４６】
更に、本実施の形態のマガジンウォーマ１によれば、フィルムヒータ３１を構成する面状ヒータ３１１ｂから発生する熱は、絶縁材たる被覆片３１１ａ、３１１ｃ、３１２、３１３を介して弾倉１００の蓄圧室１０１に伝達されるため、主として金属からなる弾倉１００と面状ヒータ３１１ｂとの電気的な短絡を防止できる。また、フィルムヒータ３１は、弾倉１００における蓄圧室１０１がある部分を囲繞するようにこれに当接するため、熱を蓄圧室１０１へ効率良く伝達できる。
【００４７】
但し、本実施の形態のフィルムヒータ３１は、図３及び図５に例示される構成に限定されるものではない。例えば、フィルムヒータ３１は、開口部を除いて弾倉収納室ＳＡの内側全体を覆う形状をなすものであってもよい。
【００４８】
＝＝＝その他の実施の形態＝＝＝
前述した考案の実施の形態は、本考案の理解を容易にするためのものであり、本考案を限定して解釈するためのものではない。本考案は、その趣旨を逸脱することなく変更、改良され得るとともに、本考案にはその等価物も含まれる。
【００４９】
前述した実施の形態では弾倉収納室ＳＡは１つであったが、これに限定されるものではない。本考案の弾倉加温用携帯具は、例えば弾倉収納室ＳＡを複数備えたマガジンウォーマ１’であってもよい（図１０（ａ）参照）。尚、図１０（ａ）は、本実施の形態のもう一つのマガジンウォーマ１’の構成例を示す正面図である。この場合、前述したマガジンウォーマ１の寸法を大きくするとともに、前述した仕切片２５を弾倉収納室ＳＡの室数に応じて増やせば、弾倉１００が収納し易くなる。尚、発熱材は、弾倉収納室ＳＡごとに設けられていてもよいし、１つの発熱材が設けられた間隙が仕切片２５により複数の弾倉収納室ＳＡに仕切られていてもよい。このマガジンウォーマ１’を用いれば、予備の弾倉１００を複数分予め加温しておくことができるため、例えばガスハンドガン２００の射撃競技をより円滑に実施することができる。
【００５０】
また、前述した実施の形態では弾倉収納室ＳＡは弾倉１００の加温専用であったが、これに限定されるものではなく、例えばゴルフボール等を加温するためにも使用できる（図１０（ｂ）参照）。尚、図１０（ｂ）は、本実施の形態の更にもう一つのマガジンウォーマ１”の利用例を示す正面図である。この場合、前述したマガジンウォーマ１における弾倉収納室ＳＡを、ゴルフボールの寸法に応じて大きくすれば（ＳＡ”）、ゴルフボールが収納し易くなる。一般に、低温外気では、ゴルフボール素材の反発弾性が低下して、打球感、即ち手の感触、打球音や飛距離等に影響を及ぼすとされている。そこで、例えばゴルフプレーヤがマガジンウォーマ１”を携帯し、これをゴルフボールの加温のために利用すれば、外気温度が低下している場合でも、少なくともゴルフボールの反発弾性が一定な条件下でプレーすることができる。
【図面の簡単な説明】
【００５１】
【図１】本実施の形態のマガジンウォーマの正面斜視図である。
【図２】本実施の形態のマガジンウォーマの背面斜視図である。
【図３】（ａ）は、本実施の形態のマガジンウォーマの内部構成例を示す正面斜視図であり、（ｂ）は、本実施の形態のマガジンウォーマの加温機構の等価回路を示す回路図である。
【図４】本実施の形態のマガジンウォーマの接合例を示す図である。
【図５】（ａ）は、本実施の形態のフィルムヒータの本体の構成例を示す分解斜視図であり、（ｂ）は、本実施の形態のフィルムヒータの構成例を示す斜視図である。
【図６】本実施の形態のフックの機能の一例を示す平面図である。
【図７】本実施の形態のマガジンウォーマの装着例を示す模式図である。
【図８】ガスハンドガンの射撃競技における本実施の形態のマガジンウォーマの使用手順の一例を説明するためのフローチャートである。
【図９】本実施の形態のマガジンウォーマに対する弾倉の収容手順を示す正面図である。
【図１０】（ａ）は、本実施の形態のもう一つのマガジンウォーマの構成例を示す正面図であり、（ｂ）は、本実施の形態の更にもう一つのマガジンウォーマの利用例を示す正面図である。
【図１１】弾倉の構成例を示す断面図である。
【符号の説明】
【００５２】
１、１’、１”  マガジンウォーマ      １０  第１基材
１０ｂ、２０ｂ、３１ｃ  縁部          １１  背面部
１１ａ、１２ａ  着脱部材              １２、１２’、１２”  蓋部
１３  ループ                          １４  フック
１４ａ  Ｃリング部                    １４ｂ  棒状部
１４ｃ  軸部                          １５  ベルト通し用部材
１５ａ  着脱部材                      ２０ａ  着脱部材
２０  正面部（第２基材）              ２０’  正面部（第２基材）
２５  仕切片                          ３０  加温機構
３１  フィルムヒータ                  ３１ａ、３２ａ  ケーブル
３１ｂ、３２ｂ  コネクタ              ３２  ケース
１００  弾倉                          １０１  蓄圧室
１０２  弾倉室                        １０３  放出路
１０４  放出バルブ                    １０５  押上片
１０６  バネ                          １０７  ガス注入バルブ
２００  ガスハンドガン                ３１１  本体
３１１ａ、３１１ｃ  被覆片            ３１１ｂ  面状ヒータ
３１２、３１３  被覆片
【図１】
0003123134.tif 000003
【図２】
0003123134.tif 000004
【図３】
0003123134.tif 000005
【図４】
0003123134.tif 000006
【図５】
0003123134.tif 000007
【図６】
0003123134.tif 000008
【図７】
0003123134.tif 000009
【図８】
0003123134.tif 000010
【図９】
0003123134.tif 000011
【図１０】
0003123134.tif 000012
【図１１】
0003123134.tif 000013